(57)【要約】【課題】リモートコントロール装置に防水構造を備えることにより安全性と信頼性を向上すること。【解決手段】スイッチホルダ部３４３を有するケース３４０と、操作突起３５２を有する操作ボタン３５１と、スイッチ３５５を備え、スイッチホルダ部３４３には周囲に防水リブ３４５を有する操作連動部３４４を設け、操作ボタン３５１の操作突起３５２で前記操作連動部３４４を介してスイッチ３５５を操作する構成としたことにより、ケース３４０の上方からスイッチホルダ部３４３に浸入した水は防止リブ３４５により操作連動部３４４からケース３４０内部に侵入することを防止することができる。【選択図】図５
2008258090.tif 000002
【特許請求の範囲】
【請求項１】
上面にスイッチホルダ部を有するケースと、前記スイッチホルダ部に設置して下面に操作突起を有する操作ボタンと、前記ケース内に設置したスイッチを備え、前記スイッチホルダ部には周囲に防水リブを有する操作連動部を設け、前記操作ボタンを上方より押圧することにより前記操作ボタンの操作突起で前記操作連動部を介して前記スイッチを作動可能な構成のリモートコントロール装置。
【請求項２】
スイッチホルダ部とケースの外面に連通する排水溝を設けた請求項１に記載のリモートコントロール装置。
【請求項３】
操作連動部に弾性機能を備えて請求項１または２に記載のリモートコントロール装置。
【請求項４】
スイッチホルダ部に操作連動部を複数設け、複数の操作ボタンを設けた請求項１〜３のいずれか１項に記載のリモートコントロール装置。
【請求項５】
大きさと個数の異なる操作ボタンを組み替え可能な請求項４に記載のリモートコントロール装置。
【発明の詳細な説明】
【技術分野】
【０００１】
本発明は衛生洗浄装置のリモートコントロール装置の防水構造に関するものである。
【背景技術】
【０００２】
従来、この種の衛生洗浄装置のリモートコントロール装置は、衛生洗浄装置の各種機能を操作するためにトイレの壁面に設置して使用するのが一般的である。その使用方法の特徴としては、一部の操作は便座に着座した状態で行い、一部の操作は便器の前に立った状態で行うという２種類の使用形態が存在している。このような２種類の使用形態に対応するために、主に着座状態で使用するおしり洗浄スイッチと、ビデ洗浄スイッチと、停止スイッチと、乾燥ボタンと、ノズル前後スイッチと、シャワーと乾燥の強弱スイッチの操作ボタンはリモコン装置の前面に配設することにより、着座した状態で表示が見やすく、かつ操作がしやすい構成となっている。また、主に立った状態で使用する便座開閉スイッチと、便蓋開閉スイッチと、便器洗浄スイッチの操作部ボタンはリモコン本体の上面と前面の角部に設置し、起立、着座いずれの状態でも使いやすい構成となっている（例えば、特許文献１参照）。
【０００３】
図１３は特許文献１に記載された従来のリモコン装置の外観の斜視図を示すものであり、図１４は要部断面図を示すものである。図１３に示すように、リモコン本体９０１の前面には、ノズル前後ボタン９０２と、シャワーと乾燥の強弱ボタン９０３と、停止ボタン９０４と、洗浄ボタン９０５と、ビデ洗浄ボタン９０６と、乾燥ボタン９０７が設置してありこれらのスイッチは便座に着座した状態で使用するものである。また、リモコン本体９０１の上面と前面の角部には便座開閉ボタン９０８と、便器洗浄ボタン９０９と、便蓋開閉ボタン９１０が設置してある。図１４に示すようにリモコン本体９０１の上面に配置した便座開閉ボタン９０８と、便器洗浄ボタン９０９と、便蓋開閉ボタン９１０は、略Ｌ字型をしておりその後端をリモコン本体９０１に設けた回動軸９１１に回動自在に枢支されており、各ボタンの下端部が当接する位置にスイッチ９１２が設置してあり、便座開閉ボタン９０８、便器洗浄ボタン９０９、便蓋開閉ボタン９１０の上面あるいは前面を押すとスイッチが作動する構成となっている。
【特許文献１】特開２００２−０７０１１５号公報
【発明の開示】
【発明が解決しようとする課題】
【０００４】
しかしながら、前記従来の構成では、リモコン本体の上面に配設した便座開閉ボタンと、便器洗浄ボタンと、便蓋開閉ボタンの周囲には隙間があり、手洗いや清掃等で濡れた手でそれらのボタンを操作した場合、その隙間からリモコン本体内に水が入り、リモートコントロール装置の誤動作や故障が発生するという課題を有していた。
【０００５】
本発明は、前記従来の課題を解決するもので、リモコン本体内への水の浸入を防止する防水構造を備え安全で信頼性の高いリモートコントロール装置を提供することを目的とする。
【課題を解決するための手段】
【０００６】
前記従来の課題を解決するために、本発明のリモートコントロール装置は、スイッチホルダ部を有するケースと、操作突起を有する操作ボタンと、スイッチを備え、スイッチホルダ部には周囲に防水リブを有する操作連動部を設け、操作ボタンの操作突起で前記操作連動部を介してスイッチを操作する構成としたものである。
【０００７】
これによって、ケースの上方からスイッチホルダ部に浸入した水は防止リブにより操作連動部からケース内部に侵入することを防止することができる。
【発明の効果】
【０００８】
本発明のリモートコントロール装置は、防水構造を備えることにより安全性と信頼性を向上することができる。
【発明を実施するための最良の形態】
【０００９】
第１の発明は、上面にスイッチホルダ部を有するケースと、前記スイッチホルダ部に設置して下面に操作突起を有する操作ボタンと、前記ケース内に設置したスイッチを備え、前記スイッチホルダ部には周囲に防水リブを有する操作連動部を設け、前記操作ボタンを上方より押圧することにより前記操作ボタンの操作突起で前記操作連動部を介して前記スイッチを作動可能な構成とすることにより、ケースの上方からスイッチホルダ部に浸入した水は防止リブにより操作連動部からケース内部に侵入することを防止することができるので、浸水による電気回路の短絡や部品の劣化を防止し、安全性と信頼性を向上することができる。
【００１０】
第２の発明は、特に、第１の発明において、スイッチホルダ部とケースの外面に連通する排水溝を設けたことにより、スイッチホルダ部に浸入した水は排水溝より外部に流出するので、連続的に水が浸入しても防水機能を維持することができ、安全性と信頼性をより向上することができる。
【００１１】
第３の発明は、特に、第１または第２の発明において、操作連動部に弾性機能を備えたことにより、操作ボタンは操作連動部の弾性機能とスイッチの復帰機能の両方でより確実に復帰することとなり、誤動作を低減することができる。
【００１２】
第４の発明は、特に、第１〜３のいずれか１つの発明において、スイッチホルダ部に操作連動部を複数設け、複数の操作ボタンを設けたことにより、リモートコントロール装置の上面に複数の操作スイッチを設けることが可能となり、リモートコントロール装置操作機能の拡大と操作性の向上を図ることができる。
【００１３】
第５の発明は、特に、第４の発明において、大きさと個数の異なる操作ボタンを組み替え可能な構成とすることにより、同一のケースで操作機能の異なる複数のリモートコントロール装置への対応が可能となり、生産工程における標準化とコスト削減が可能となる。
【００１４】
以下、本発明の実施の形態について、図面を参照しながら説明する。なお、この実施の形態によって本発明が限定されるものではない。
【００１５】
（実施の形態１）
図１は本発明の第１の一実施の形態に係るリモートコントロール装置を装備した衛生洗浄装置の外観斜視図であり、図２は衛生洗浄装置全体の構成を示す模式図である。
【００１６】
衛生洗浄装置１００は便器７００の上面に取り付けられる。衛生洗浄装置１００は、本体部２００、リモートコントロール装置３００、便座部４００および蓋部５００により構成される。
【００１７】
本体部２００には、便座部４００および蓋部５００が開閉可能に取り付けられている。また、本体部２００には、図示しない洗浄水供給機構が設けられるとともに、図２に示す制御部９０が内蔵される。
【００１８】
図１では、本体部２００の正面上部に設けられる着座センサ６１０が示されている。この着座センサ６１０は、例えば反射型の赤外線センサである。この場合、着座センサ６１０は、人体から反射された赤外線を検出することにより便座部４００上に使用者が存在することを検知する。
【００１９】
さらに、図１では、本体部２００の正面下部に設けられる便器ノズル４０が便器７００の内側に突出している状態が示されている。この便器ノズル４０は、上述の洗浄水供給機構に接続されている。
【００２０】
洗浄水供給機構は、図示しない水道配管に接続されている。これにより、洗浄水供給機構は、水道配管から供給される洗浄水を便器ノズル４０に供給する。それにより、便器ノズル４０から便器７００の内面の広い範囲に洗浄水が噴出される（便器プレ洗浄）。または、便器ノズル４０から便器７００の内面の背面側に洗浄水が噴出される（便器後部洗浄）。
【００２１】
また、洗浄水供給機構は、ノズル部２０に接続されている。これにより、洗浄水供給機構は、水道配管から供給される洗浄水をノズル部２０に供給する。それにより、ノズル部２０から使用者の局部に洗浄水が噴出される。
【００２２】
リモートコントロール装置３００には、複数のスイッチが設けられている。リモートコントロール装置３００は、例えば便座部４００上に着座する使用者が操作可能なトイレットルームの壁面にねじで固定されたリモコンホルダ３１０を介して着脱可能に取り付けられる。
【００２３】
入室検知センサ６００は、トイレットルームの入口近傍等に取り付けられる。入室検知センサ６００は、例えば反射型の赤外線センサである。この場合、入室検知センサ６００は、人体から反射された赤外線を検出した場合にトイレットルーム内に使用者が入室したことを検知する。
【００２４】
本体部２００の制御部９０は、リモートコントロール装置３００、入室検知センサ６００および着座センサ６１０から送信される信号に基づいて、衛生洗浄装置１００の各部の動作を制御する。
【００２５】
図２は、本体部２００の構成を示す模式図である。図２に示すように、本体部２００は、分岐水栓２、ストレーナ４、逆止弁５、定流量弁６、止水電磁弁７、流量センサ８、熱交換器９、ポンプ１１、バッファタンク１２、人体用切替弁１３、ノズル部２０、バキュームブレーカ３１，６１、便器ノズル４０、便器ノズルモータ４０ｍ、ランプ５０および制御部９０を含む。
【００２６】
ノズル部２０は、おしりノズル２１、ビデノズル２２およびノズル洗浄ノズル２３を含み、人体用切替弁１３は切替弁モータ１３ｍを含む。
【００２７】
図２に示すように、水道配管１には分岐水栓２が介挿される。分岐水栓２と熱交換器９との間に接続される配管３には、ストレーナ４、逆止弁５、定流量弁６、止水電磁弁７および流量センサ８が順に介挿される。熱交換器９と人体用切替弁１３との間に接続される配管１０には、ポンプ１１およびバッファタンク１２が介挿される。
【００２８】
人体用切替弁１３の複数のポートにノズル部２０のおしりノズル２１、ビデノズル２２およびノズル洗浄ノズル２３がそれぞれ接続される。
【００２９】
バキュームブレーカ３１は、止水電磁弁７と流量センサ８との間の配管３から延びる分岐配管３０に接続され、熱交換器９および便器ノズル４０の洗浄水噴出口よりも上方の位置に配置される。バキュームブレーカ３１には、分岐配管３２の一端が接続される。分岐配管３０と分岐配管３２とはバキュームブレーカ３１を介して連結される。便器ノズル４０は、分岐配管３２の他端に接続される。便器ノズルモータ４０ｍおよびランプ５０は、便器ノズル４０の近傍に取り付けられる。バキュームブレーカ６１はバッファタンク１２に設けられ、熱交換器９よりも上方の位置に配置される。なお、バキュームブレーカ６１およびバッファタンク１２は一体的に形成されている。したがって、バッファタンク１２も熱交換器９よりも上方の位置に配置される。
【００３０】
次に、本体部２００における洗浄水の流れおよび制御部９０による本体部２００の各構成部の制御について説明する。
【００３１】
水道配管１を流れる浄水が、洗浄水として分岐水栓２によりストレーナ４に供給される。これにより、洗浄水に含まれるゴミおよび不純物等はストレーナ４により除去される。
【００３２】
次に、逆止弁５により配管３内における洗浄水の逆流が防止され、定流量弁６により配管３内を流れる洗浄水の流量が一定に維持される。そして、止水電磁弁７により熱交換器９への洗浄水の供給状態が切替えられる。止水電磁弁７の動作は、制御部９０により制御される。
【００３３】
配管３において、流量センサ８は、配管３内を流れる洗浄水の流量を測定し、制御部９０に測定流量値を与える。熱交換器９は、配管３を通して供給される洗浄水を所定の温度に加熱する。熱交換器９の動作は、流量センサ８により測定された測定流量値に基づいて制御部９０により制御される。
【００３４】
続いて、熱交換器９により加熱された洗浄水が、ポンプ１１によりバッファタンク１２を通して人体用切替弁１３に圧送される。ポンプ１１の動作は、制御部９０により制御される。
【００３５】
バッファタンク１２は、加熱された洗浄水の温度緩衝部として作用する。これにより、人体用切替弁１３に圧送される洗浄水の温度むらの発生が抑制される。なお、熱交換器９とバッファタンク１２との合計の容量は、１５ｃｃ〜３０ｃｃであることが好ましく、２０ｃｃ〜２５ｃｃであることがより好ましい。
【００３６】
人体用切替弁１３においては、切替弁モータ１３ｍが動作することにより、ポンプ１１から圧送された洗浄水が、おしりノズル２１、ビデノズル２２およびノズル洗浄ノズル２３のいずれかに供給される。これにより、おしりノズル２１、ビデノズル２２およびノズル洗浄ノズル２３のいずれかから洗浄水が噴出する。切替弁モータ１３ｍの動作は、制御部９０により制御される。
【００３７】
おしりノズル２１およびビデノズル２２は、使用者の局部の洗浄を行うために用いられる。ノズル洗浄ノズル２３は、おしりノズル２１およびビデノズル２２の便器７００内に突出する部分を洗浄するために用いられる。
【００３８】
止水電磁弁７から熱交換器９に供給される洗浄水のうちノズル部２０において使用されない余剰な洗浄水は、分岐配管３０、分岐配管３２および便器ノズル４０を介して捨て水として便器７００内に流される。すなわち、分岐配管３０および分岐配管３２は捨て水回路として機能する。便器ノズル４０の詳細は後述する。
【００３９】
なお、本例においては、熱交換器９と便器ノズル４０との間にバキュームブレーカ３１が設けられ、熱交換器９とノズル部２０との間にバキュームブレーカ６１が設けられている。それにより、熱交換器９内の洗浄水が分岐配管３０、分岐配管３２および便器ノズル４０を介して外部に流出することならびに配管１０およびノズル部２０を介して外部に流出することが防止される。その結果、熱交換器９の空焚きが防止される。
【００４０】
また、バキュームブレーカ３１により、便器ノズル４０側からの汚水等の逆流が防止されるとともに、バキュームブレーカ６１によりノズル部２０側からの汚水等の逆流が防止される。
【００４１】
また、バッファタンク１２とバキュームブレーカ６１とが一体的に設けられているので、本体部２００を小型化することができる。また、バキュームブレーカ６１によりバッファタンク１２内の冷水が排出されるので、おしり洗浄時に、おしりノズル２１から冷水が噴出されることを防止することができる。
【００４２】
図３（ａ）はリモートコントロール装置３００の斜視図を示し、図３（ｂ）はリモートコントロール装置３００の前面の操作面を示す正面図である。また、リモートコントロール装置３００は、コントローラ本体部３０１の下部にコントローラ蓋部３０２が開閉自在に設けられた構造を有し、図４（ａ）はコントローラ蓋部３０２を開いた状態の斜視図を示し、図４（ｂ）はコントローラ蓋部３０２を開いた状態の操作面を示す正面図である。
【００４３】
図３（ａ）に示すように、コントローラ蓋部３０２が閉じられた状態で、コントローラ本体部３０１の上部には乾燥スイッチ３２０、強さ調整スイッチ３２２、３２３および位置調整スイッチ３２５、３２６が設けられ、コントローラ蓋部３０２には停止スイッチ３１１、おしりスイッチ３１２およびビデスイッチ３１３が設けられている。
【００４４】
使用者により、上記各スイッチが操作される。これにより、リモートコントロール装置３００から本体部２００に各スイッチに応じた所定の信号が無線送信される。本体部２００の制御部９０は、受信した信号に基づいて本体部２００および便座部４００の各構成部の動作を制御する。
【００４５】
例えば、使用者がおしりスイッチ３１２またはビデスイッチ３１３を操作することにより、ノズル部２０から使用者の局部に洗浄水が噴出される。また、使用者が停止スイッチ３１１を操作することにより、ノズル部２０から使用者の局部への洗浄水の噴出が停止される。
【００４６】
使用者が乾燥スイッチ３２０を操作することにより、使用者の局部に乾燥ユニット（図示せず）から温風が噴出される。また、使用者が強さ調整スイッチ３２２、３２３を操作することにより、使用者の局部に噴出される洗浄水の流量および圧力等が調整される。
【００４７】
さらに、使用者が位置調整スイッチ３２５、３２６を操作することにより、おしりノズル２１またはビデノズル２２の位置が調整される。それにより、使用者の局部への洗浄水の噴出位置が調整される。
【００４８】
図４（ｂ）に、コントローラ蓋部３０２が開かれた状態のリモートコントロール装置３００の正面図が示されている。図４（ｂ）に示すように、コントローラ蓋部３０２により覆われるコントローラ本体部３０１の下部には、上述の停止スイッチ３１１、おしりスイッチ３１２およびビデスイッチ３１３に加えて、自動開閉スイッチ３３１、水温調整スイッチ３３２、便座温度調整スイッチ３３３、除菌スイッチ３３５および便器洗浄スイッチ３３６が設けられている。
【００４９】
これらのスイッチが操作される場合にも、リモートコントロール装置３００から本体部２００に各スイッチに応じた所定の信号が無線送信される。これにより、本体部２００の制御部９０は、受信した信号に基づいて本体部２００および便座部４００の各構成部の動作を制御する。
【００５０】
自動開閉スイッチ３３１は、使用者が自動開閉スイッチ３３１のつまみを操作することにより、蓋部５００の開閉動作が設定される。すなわち、自動開閉スイッチ３３１のつまみがオンの位置にある場合、使用者のトイレットルームへの入退室に応じて蓋部５００が開閉される。
【００５１】
使用者が水温調整スイッチ３３２を操作することにより、ノズル部２０から使用者の局部に噴出される洗浄水の温度が調整される。使用者が便座温度調整スイッチ３３３を操作することにより、便座部４００の温度が調整される。
【００５２】
また、使用者が除菌スイッチ３３５を操作することにより、本体部２００の洗浄水供給機構に銀イオンを含む洗浄水が流れ、除菌動作が行われる。
【００５３】
自動開閉スイッチ３３１と同様に、便器洗浄スイッチ３３６はつまみにより構成されている。使用者が便器洗浄スイッチ３３６のつまみを操作することにより、便器ノズル４０による便器プレ洗浄および便器後部洗浄の動作が設定される。
【００５４】
すなわち、便器洗浄スイッチ３３６のつまみがオンの位置にある場合、使用者のトイレットルームへの入室に応じて便器ノズル４０から便器７００内部の広い範囲に洗浄水が噴出される。また、使用者の便座部４００への着座中に便器ノズル４０から便器７００の内面の背面側に洗浄水が噴出される。
【００５５】
リモートコントロール装置３００の上面の両側端部には、本体部２００と無線で通信を行うために赤外線通信の送信素子を配設しあり、その内側には便蓋開閉スイッチ３５０と便座開閉スイッチ３６０が配設してある。便蓋開閉スイッチ３５０は便蓋を任意に開閉するするスイッチであり、前記自動開閉スイッチ３３１による自動開閉より優先して作動する。便座開閉スイッチ３６０は便座部４００の開閉を操作するスイッチであり、男子小用時等に便座部４００開放して使用する場合に操作する。
【００５６】
便蓋開閉スイッチ３５０と便座開閉スイッチ３６０は使用者が便器の前に立った状態で使用するため、使い勝手を考慮してリモートコントロール装置３００の上面に設置し、上方からの押圧により操作できる構成となっている。
【００５７】
図５は、操作ボタンを取り外した状態のリモートコントロール装置の分解斜視図を示し、図６は操作ボタンの詳細の正面図を示し、図７は操作連動部の詳細を示す要部平面図であり、図８（ａ）はリモートコントロール装置の排水溝の部分の要部を示す断面図であり、（ｂ）はリモートコントロール装置の操作連動部の部分の要部を示す断面図である。
【００５８】
便蓋開閉スイッチ３５０と便座開閉スイッチ３６０の基本的な構成は、リモコンケース３４０の上面に設置した樹脂成型品による操作ボタン３５１、３６１でリモコンケース３４０内に設置したマイクロスイッチ３５５を押圧して開閉する構成となっている。
【００５９】
本実施の形態における操作ボタン３５１、３６１は互いに左右対称の形状になっており、略函型状の操作ボタン３５１、３６１の下面中央部と左右に間隔を開けてマイクロスイッチ３５５を押圧するための３個の略円柱状の操作突起３５２が一体に成型してある。ま
た、操作ボタン３５１、３６１の前面と後面の下端の両側部は角部を切り落とし上方に傾斜した傾斜部３５１ａ、３６１ａを備えている。また前面と後面の下部には略等間隔で係合突起３５３が各４個一体に成型してある。
【００６０】
一方、リモコンケース３４０は樹脂材料で形成した前ケース３４１と後ケース３４２を複数のねじを介して結合して構成してあり、その上面には溝状のスイッチホルダ部３４３が形成されている。スイッチホルダ部３４３の底面には６個の操作連動部３４４が所定の間隔で設けてあり、操作連動部３４４の配設位置は操作ボタン３５１、３６１の操作突起３５２対応する位置となっている。操作連動部３４４の周囲には上方に突出した防水リブ３４５が設けてある。
【００６１】
操作連動部３４４は図７に示すように、中央に略円形の当接部３４６を有し、当接部３４６は周辺部とは略Ｓ字形状のばね部３４６ａで連接されており、当接部３４６とばね部３４６ａ以外の部分は上下貫通した貫通部３４６ｂとなっており、当接部３４６は上下方向に移動可能でかつばね部３４６ａの弾性により元の位置に復帰する機能を備えている。
【００６２】
本実施の形態においては、６個の操作連動部３４４のうち左右両側からそれぞれ２個目の操作連動部３４４の下方にマイクロスイッチ３５５が設置してあり、当接部３４６とばね部３４６ａが下方に変形することによりマイクロスイッチ３５５が押圧され作動する構成となっている。
【００６３】
また、スイッチホルダ部３４３の前面部と後面部には操作ボタン３５１、３６１の係合突起３５３に対応する係合溝３４７が各８箇所に設けてある。操作ボタン３５１、３６１の所定の係合突起３５３とスイッチホルダ部３４３の所定の係合溝３４７を係合させて設置することにより、操作ボタン３５１、３６１をスイッチホルダ部３４３の所定位置に設置することができ、操作ボタン３５１、３６１はスイッチホルダ部３４３内で上下に摺動可能となる。
【００６４】
上記構成のスイッチホルダ部３４３に操作ボタン３５１、３６１を所定の位置に設置すると、図８に示すように操作突起３５２が操作連動部３４４の当接部３４６の上面に当接して配置される。また係合突起３５３は係合溝３４７の上端部に当接するように配置される。
【００６５】
一方、スイッチホルダ部３４３の底面後端部にはリモコンケース３４０の背面側の外部まで貫通した排水溝３４８が２個設置してあり、スイッチホルダ部３４３に進入した水をリモコンケース３４０の外部に排出する構成となっている。図８に示すように排水溝３４８は後ケース３４２を貫通し、リモコンケース３４０とリモコンホルダ３１０間に形成される隙間を排水経路として矢印Ａに示すように下方に排水可能となっている。
【００６６】
上記構成の便蓋開閉スイッチ３５０と便座開閉スイッチ３６０は、使用者がそれぞれの操作ボタン３５１、３６１を上方から押すと、操作ボタン３５１、３６１は係合溝３４７に沿って下方に移動し、操作突起３５２は操作連動部３４４の当接部３４６を押圧して下方に移動することによりマイクロスイッチ３５５を作動することができる。また、使用者が操作ボタン３５１、３６１を開放すると、操作ボタン３５１、３６１は操作連動部３４４のばね部３４６ａの弾性により上方に移動し、マイクロスイッチ３５５は復帰する。
【００６７】
特に、本実施の形態の操作ボタン３５１、３６１は使い勝手を向上するために横幅が広い形状としており、操作ボタン３５１、３６１のどの位置を押しても、マイクロスイッチ３５５が確実に作動することを配慮した構成となっている。図９（ａ）に示す操作ボタン３５１、３６１を押していない状態から、図９（ｂ）に示す操作ボタンの中央部を矢印Ｂ
に示すように押したときは、操作ボタン３５１、３６１は略垂直に下方に移動し操作突起３５２は当接部３４６を介してマイクロスイッチ３５５を押圧する。
【００６８】
一方、操作ボタン３５１、３６１の中央以外の側部を押したときは、図９（ｃ）に示す矢印Ｃように操作ボタン３５１、３６１の押した場合、側方のみが下方に移動して操作ボタン３５１、３６１は斜めに傾いた状態になる。このとき押した反対側に設置した係合突起３５３は係合溝３４７の上端部に当接し、当接部を支点として操作ボタン３５１、３６１が回動する、そのため操作ボタン３５１、３６１の中央部に配置した操作突起３５２は梃子の作用点として作用し、当接部３４６を介してマイクロスイッチ３５５を押圧することができる。ただし操作突起３５２の移動距離は操作ボタン３５１、３６１側部の移動距離の略１／２となるので、マイクロスイッチ３５５を押圧可能とするためには、操作ボタン３５１、３６１の上下の摺動ストロークはマイクロスイッチ３５２の作動に必要なストロークの２倍以上確保することが必須要件である。特に操作ボタン３５１、３６１の側部の摺動ストロークを大きく確保することが重要であり、そのために操作ボタン３５１、３６１下端部の両側部に設けた傾斜部３５１ａ、３６１ａは両側部の摺動ストロークの確保に有効である。
【００６９】
以上のように、本実施の形態のリモートコントロール装置３００の第１の特徴は防水構造にある。本願発明のリモートコントロール装置はトイレットルーム内に設置して使用するものであるため、手洗いや清掃に使用した水がかかることが考えられる。本実施の形態においては、操作ボタン３５１、３６１の外周とスイッチホルダ部３４３の隙間からスイッチホルダ部３４３内に水が浸入する場合があるが、貫通部３４６ｂを有する操作連動部３４４の周囲には防水リブ３４５が設けてあり、リモコンケース３４０内部への侵入を防止する。またスイッチホルダ部３４３内に浸入した水は排水溝３４８から外部に排水されるため連続的に水が浸入した場合でも、リモコンケース３４０の内部への浸水を防ぐことができ、リモートコントロール装置３００の安全性と信頼性を確保することができる。
【００７０】
また、第２の特徴はスイッチボタン２５１、２６１のどの位置を押しても、マイクロスイッチ３５５を確実に作動させることができるものであり、誤操作や誤動作を防止し、高い安全性と信頼性を確保することができるものである。
【００７１】
なお、天面のスイッチを便フタ開閉スイッチと便座開閉スイッチに限定しているが、他の機能のスイッチでもよい。
【００７２】
（実施の形態２）
図１０は第２の実施の形態におけるリモートコントロール装置の外観斜視図を示し、図１１は操作ボタンを外した状態の分解斜視図を示すものである。
【００７３】
本実施の形態が第１の実施の形態と異なっている点は、リモートコントロール装置３００の上面に配置する操作ボタンを２個から４個にしたところである。
【００７４】
本実施の形態においても実施の形態１と同じリモコンケース３４０を使用する。スイッチホルダ部３４３には操作連動部３４４が６個と係合溝３４７が前後各８個設けてあり、本実施の形態においては操作連動部３４４のうち両側部の２個と中央の２個の下方にマイクロスイッチ３５５を合計４個設置する。
【００７５】
操作ボタン３７０は実施の形態１における操作ボタン３５１、３６１の略１／２の幅に形成されており、下面中央部には操作突起３５２が設けてあり、前面および後面の両側部には係合突起３５３が設けてある。上記構成の４個の操作ボタン３７０をスイッチホルダ部３４３の前後各２個の係合溝３４７に係合させて配置することにより４個の操作ボタン
３７０を設置することができる。
【００７６】
上記構成のリモートコントロール装置３００は実施の形態１と同じリモコンケース３４０を使用して操作ボタン３７０を４個に増やすことができるので、更に多くの機能を上面操作することができ、しかもリモコンケースを共用で使用することができる。
【００７７】
また、実施の形態１が有する操作ボタンの押す位置の自由度と防水構造の特徴も同様に備えている。
【００７８】
なお、本実施の形態においては操作ボタン４個の場合を説明したが、３個の場合や１個の場合も同様に実施することが可能である。
【００７９】
（実施の形態３）
図１２は第３の実施の形態におけるリモートコントロール装置の操作ボタンを外した状態の分解斜視図を示すものである。
【００８０】
本実施の形態が第１の実施の形態と異なっている点は、各操作ボタンの誤挿入の防止手段を設けた点である。実施の形態１において便蓋開閉スイッチ３５０と便座開閉スイッチ３６０をリモートコントロール装置３００の上面に配置したが、スペースの狭いリモートコントロール装置３００の上面ではスイッチの表示を操作ボタン３５１、３６１の上面に表示する必要があるためそれぞれ専用の操作ボタンとなるため間違って設置することを防止しなければならない。
【００８１】
本実施の形態においては、図１１に示すように操作ボタン３７１、３７２の前面下端部のそれぞれ違う位置に位置決め溝３７３を設け、スイッチホルダ部３４３の前記位置決め溝３７３に対応する位置に位置決めリブ３４９を設け、操作ボタン３７１、３７２を間違えて挿入した場合、位置決めリブ３４９が操作ボタン３７１、３７２の下端に当たって挿入できない構成となっている。
【００８２】
また、本実施の形態においても、実施の形態１と同様に操作ボタン３７１、３７２下端部の両側部に傾斜部３５１ａ、３６１ａを設け、両側部の摺動ストロークを拡大している。
【００８３】
以上のように構成された本実施の形態のリモートコントロール装置においては、種類の異なる操作ボタンを組立時に設置場所を間違えることがない。
【００８４】
なお、本実施の形態においては、操作ボタンに位置決め溝を設け、スイッチホルダ部に位置決めリブを設けたが、これとは反対に操作ボタンに位置決めリブを設け、スイッチホルダ部に位置決め溝を設けても同様な効果を得ることができる。
【産業上の利用可能性】
【００８５】
以上のように、本発明にかかるリモートコントロール装置は、防水機能を備えているので、洗面所やキッチンで使用するリモートコントロール装置やスイッチ装置等の用途にも適用できる。
【図面の簡単な説明】
【００８６】
【図１】本発明の実施の形態１におけるリモートコントロール装置を装備した衛生洗浄装置の外観斜視図
【図２】本発明の実施の形態１におけるリモートコントロール装置を装備した衛生洗浄装置全体の構成を示す模式図
【図３】（ａ）本発明の実施の形態１におけるリモートコントロール装置の外観斜視図（ｂ）リモートコントロール装置の前面の操作面を示す正面図
【図４】（ａ）本発明の実施の形態１におけるリモートコントロール装置のコントローラ蓋部を開いた状態の外観斜視図（ｂ）リモートコントロール装置のコントローラ蓋部を開いた状態の前面の操作面を示す正面図
【図５】本発明の実施の形態１におけるリモートコントロール装置の操作ボタンを外した状態の分解斜視図
【図６】本発明の実施の形態１におけるリモートコントロール装置の操作ボタンの正面図
【図７】本発明の実施の形態１におけるリモートコントロール装置の操作連動部の詳細を示す平面図
【図８】（ａ）本発明の実施の形態１におけるリモートコントロール装置の要部断面図（ｂ）同別の位置の要部断面図
【図９】（ａ）本発明の実施の形態１におけるリモートコントロール装置の操作ボタンの不操作状態を示す模式図（ｂ）同操作ボタンの中央を押圧した状態の模式図（ｃ）同操作ボタンの側端部を押圧した状態の模式図
【図１０】本発明の実施の形態２におけるリモートコントロール装置の外観斜視図
【図１１】本発明の実施の形態２におけるリモートコントロール装置の操作ボタンを外した状態の分解斜視図
【図１２】本発明の実施の形態３におけるリモートコントロール装置の操作ボタンを外した状態の分解斜視図
【図１３】従来のリモートコントロール装置の外観斜視図
【図１４】従来のリモートコントロール装置の要部断面図
【符号の説明】
【００８７】
３００  リモートコントロール装置
３４０  リモコンケース（ケース）
３４３  スイッチホルダ部
３４４  操作連動部
３４５  防水リブ
３４６ａ  ばね部（弾性機能）
３４８  排水口溝
３５１、３６１、３７０、３７１，３７２  操作ボタン
３５２  操作突起
３５５  マイクロスイッチ（スイッチ）
【図１】
2008258090.tif 000003
【図２】
2008258090.tif 000004
【図３】
2008258090.tif 000005
【図４】
2008258090.tif 000006
【図５】
2008258090.tif 000007
【図６】
2008258090.tif 000008
【図７】
2008258090.tif 000009
【図８】
2008258090.tif 000010
【図９】
2008258090.tif 000011
【図１０】
2008258090.tif 000012
【図１１】
2008258090.tif 000013
【図１２】
2008258090.tif 000014
【図１３】
2008258090.tif 000015
【図１４】
2008258090.tif 000016